(57)【要約】      （修正有）【課題】両連通管の間の温度差ないしそれによる対流がより小であって保温槽内の温度を調整しやすい溶融紡糸装置を提供する。【解決手段】２種のポリマーを異なる進料ユニットで溶融状態まで加熱した後押出し、異なる連通管によりそれぞれを保温槽内へ、更にその吐出口が槽外に露出するように槽内に設置されている紡糸口金へ輸送し、糸条の形で保温槽外へ吐出し延伸させる溶融紡糸装置において、保温槽内における異なる連通管の一つは二重管であり、且つ、該当のポリマーはその内管を流れ、その外管は保温室になるように配置構成されていることを特徴とする溶融紡糸装置。【選択図】図２
0003120505.tif 000002
【実用新案登録請求の範囲】
【請求項１】
２種のポリマーを異なる進料ユニットで溶融状態まで加熱した後押出し、異なる連通管によりそれぞれを保温槽内へ、更にその吐出口が槽外に露出するように槽内に設置されている紡糸口金へ輸送し、糸条の形で保温槽外へ吐出し延伸させる溶融紡糸装置において、
前記保温槽内における異なる連通管の一つは二重管であり、且つ、該当のポリマーはその内管を流れ、その外管は保温室になるように配置構成されていることを特徴とする溶融紡糸装置。
【請求項２】
２種のポリマーを異なる進料ユニットで溶融状態まで加熱した後押出し、異なる連通管によりそれぞれを保温槽内へ、更にその吐出口が槽外に露出するように槽内に設置されている紡糸口金へ輸送し、糸条の形で保温槽外へ吐出し延伸させる溶融紡糸装置において、
前記保温槽内における異なる連通管の一つは二重管であり、且つ、該当のポリマーはその内管を流れ、その外管は保温室になるように配置構成されており、
また、前記二重管は、前記保温槽内に入ったところ、その外管が一径方向に一旦収縮してから拡大し、且つ、その内管が複数あり、前記径方向に沿って一列に並ぶようになっていることを特徴とする溶融紡糸装置。
【請求項３】
２種のポリマーを異なる進料ユニットで溶融状態まで加熱した後押出し、異なる連通管によりそれぞれを保温槽内へ、更にその吐出口が槽外に露出するように槽内に設置されている紡糸口金へ輸送し、糸条の形で保温槽外へ吐出し延伸させる溶融紡糸装置において、
前記紡糸口金は複数あり、同一の水平面にある所定の方向に一列に並んでおり、
前記保温槽内における異なる連通管の一つは、単数の保温室としての外管と前記紡糸口金と同数の、複数のポリマー輸送管としての内管とからなり且つ上から下へと前記一列の紡糸口金の傍まで延伸するように配置構成されている二重管であり、該二重管は前記保温槽内に入ったところ、前記外管が前記所定の方向に一旦収縮してから拡大し、且つ、前記複数の内管が前記所定方向に沿って並んでいながらそれぞれ前記単一の外管の管壁を貫通してから一つの紡糸口金と繋がっており、
前記保温槽内における異なる連通管の他の一つは、複数の支管からなり且つ各支管がそれぞれ上から下へそしてまた複数の紡糸口金の一つの方へと延伸してからそれと繋がっていることを特徴とする溶融紡糸装置。
【請求項４】
前記保温槽及び前記保温室としての外管には、それぞれ異なる熱媒加熱システムが付設されていることを特徴とする請求項１〜３のいずれか一項に記載の溶融紡糸装置。
【請求項５】
前記二重管になっている連通管は、他の連通管より短いことを特徴とする請求項１〜３のいずれか一項に記載の溶融紡糸装置。
【考案の詳細な説明】
【技術分野】
【０００１】
本考案は、溶融紡糸装置に関し、特に、２種の異なるポリマーからなる複合繊維を造るための溶融紡糸装置に関する。
【背景技術】
【０００２】
従来から、図１に示すように、２種のポリマーを異なる進料ユニット１３、１４で溶融状態まで加熱した後押出し、異なる連通管１３３、１４４によりそれぞれを保温槽１１内へ、更にその吐出口１２１が槽外に露出するように槽内に設置されている紡糸口金１２へ輸送し、糸条の形で保温槽１１外へ吐出し延伸させ、複合繊維を造るための溶融紡糸装置がある。
【０００３】
この従来の溶融紡糸装置は、２種のポリマーを同時に取り扱うので、その連通管１３３、１４４を流れるのは時々溶融点の異なるものであり、保温槽１１内の温度を妥当に調製しにくい。
【０００４】
また、保温槽１１内の紡糸口金１２は１基ではなく、通常は、一列に並んでいる複数であり、各紡糸口金１２にはそれぞれ一対の連通管１３３、１４４が付設されているので、連通管１３３と連通管１４４との間の温度差による対流が激しくなり、保温槽１１内における温度の調整を一層難しくさせる。
【考案の開示】
【考案が解決しようとする課題】
【０００５】
前記欠点に鑑みて、この考案は、両連通管の間の温度差ないしそれによる対流がより小であって保温槽内の温度を調整しやすい溶融紡糸装置を提供しようとすることをその第１の目的とする。
【０００６】
この考案は、また、両連通管それぞれの温度を元の供給温度に保温しやすい溶融紡糸装置を提供しようとすることをその第２の目的とする。
【課題を解決するための手段】
【０００７】
前記目的を達成するために、この考案は、２種のポリマーを異なる進料ユニットで溶融状態まで加熱した後押出し、異なる連通管によりそれぞれを保温槽内へ、更にその吐出口が槽外に露出するように槽内に設置されている紡糸口金へ輸送し、糸条の形で保温槽外へ吐出し延伸させる溶融紡糸装置において、前記保温槽内における異なる連通管の一つは二重管であり、且つ、該当のポリマーはその内管を流れ、その外管は保温室になるように配置構成されていることを特徴とする溶融紡糸装置を提供する。
【０００８】
また、その実施形態として、前記二重管は、前記保温槽内に入ったところ、その外管が一径方向に一旦収縮してから拡大し、且つ、その内管が複数あり、前記径方向に沿って一列に並ぶようになっているもの、特に、前記紡糸口金は複数あり、同一の水平面にある所定の方向に一列に並んでおり、前記保温槽内における異なる連通管の一つは、単数の保温室としての外管と前記紡糸口金と同数の、複数のポリマー輸送管としての内管とからなり且つ上から下へと前記一列の紡糸口金の傍まで延伸するように配置構成されている二重管であり、該二重管は前記保温槽内に入ったところ、前記外管が前記所定の方向に一旦収縮してから拡大し、且つ、前記複数の内管が前記所定方向に沿って並んでいながらそれぞれ前記単一の外管の管壁を貫通してから一つの紡糸口金と繋がっており、前記保温槽内における異なる連通管の他の一つは、複数の支管からなり且つ各支管がそれぞれ上から下へそしてまた複数の紡糸口金の一つの方へと延伸してからそれと繋がっているものが挙げられる。
【考案の効果】
【０００９】
前記構成による溶融紡糸装置は、保温槽内における異なる連通管の一つは二重管であり、且つ、該当のポリマーはその内管を流れ、その外管は保温室になるように配置構成されているため、この一つの連通管内のポリマーが流れる内管は保温室としての外管により保温槽の温度から隔離され保温されているので、両連通管の間の温度差ないしそれによる対流がより小であって保温槽内の温度を調整しやすい。
【００１０】
この考案は、即ち前記構成による溶融紡糸装置は、前記と同じ原因で、両連通管内のポリマーそれぞれの温度を元の供給温度に保温しやすい。
【考案を実施するための最良の形態】
【００１１】
以下、図示を参照しながら本考案の好適な実施例を詳細に説明する。
【００１２】
本考案の好適な実施例の溶融紡糸装置は、図２に示すように、２種のポリマーを異なる進料ユニット５、６で溶融状態まで加熱した後押出し、異なる連通管５５、６５によりそれぞれを保温槽３内へ、更にその吐出口４３が槽３外に露出するように槽３内に設置されている紡糸口金４へ輸送し、糸条の形で保温槽３外へ吐出し延伸させる溶融紡糸装置において、保温槽３内における異なる連通管の一つ６５は二重管であり、且つ、該当のポリマーはその内管６５２を流れ、その外管６５１は保温室になるように配置構成されている。また、図３に示すように、二重管となる連通管６５は、保温槽３内に入ったところ、その外管６５１が一径方向に一旦収縮してから拡大し、且つ、その内管６５２が複数あり、前記径方向に沿って一列に並ぶようになっているものである。
【００１３】
図示のように、この実施例では、紡糸口金４は６個あり、同一の水平面にある所定の方向に一列に並んでいる。
【００１４】
また、連通管６５の具体的な構成としては、同じく図３を参照すると、単数の保温室としての外管６５１と紡糸口金４と同数の、複数のポリマー輸送管としての内管６５２とからなり、且つ上から下へと前記一列の紡糸口金４の傍まで延伸するように配置構成されている二重管である。この連通管６５としての二重管は、上から下へと保温槽３内に入ったところ、外管６５１が前記所定の方向に一旦収縮してから拡大し、且つ、複数の内管６５２が前記所定方向に沿って並んでいながらそれぞれ前記単一の外管６５１の管壁を貫通してから一つの紡糸口金４と繋がっている。
【００１５】
また、連通管５５は、複数の支管からなり且つ各支管がそれぞれ上から下へそしてまた複数の紡糸口金４の一つの方へと延伸してからそれと繋がっている。これらの支管もそれぞれ連通管としての役割をしている。
【００１６】
保温槽３及び保温室としての外管６５１には、それぞれ異なる熱媒加熱システム３２、３３が付設されている。
【００１７】
ついでに、進料ユニット５、６は、従来のように、それぞれ溶融押出機５１、６１で２種の溶融ポリマーを加熱し溶融させ、そして配管５３、６３によりろ過器５４、６４に送り、溶融ポリマーに含まれている異物を除去してから、更に紡糸口金４への溶融ポリマーの供給量を制御する進料ポンプ５２、６２に輸送するように構成されている。
【００１８】
通常、配管５３、６３はそれぞれ単数であり、それぞれ保温槽３内における、複数の支管からなっている連通管５５及び連通管６５の複数の内管６５２と繋がっている。
【００１９】
熱媒加熱システムの具体的な構成については、まず熱媒加熱システム３３の方（図２参照）は、従来のように、保温室としての外管６５１に導入する熱媒を加熱する加熱器３３３と、加熱器３３１で加熱した熱媒を外管６５１に導入する導入管３３１と、外管６５１を通過した熱媒を加熱器３３３へ回流させる回流管３３２とからなっている。
【００２０】
熱媒加熱システム３２の方も大体同じであるが、保温槽３に導入する熱媒を加熱する加熱器３２１は直接保温槽３内に付設されているが、保温槽３内の熱対流を促すために、導入管３２２と回流管３２３との設置がやはり必要である。
【００２１】
なお、この実施例では、連通管６５は溶融点のより低いポリマーを輸送するので、二重管になっている上、連通管５５より短いように構成されている。二重管となっているのは、そのより低い温度を保温槽３の温度から隔離し制御しやすくさせるためである。連通管５５より短いように構成されているのは、保温槽３の温度から影響を受ける時間を短くさせるためである。これから分かるように、本考案は、場合により、連通管６５でなく、連通管５５の方を二重管としても良い。
【産業上の利用可能性】
【００２２】
前記構成による溶融紡糸装置は、保温槽内における異なる連通管の一つが二重管であり、且つ、該当のポリマーがその内管を流れ、その外管が保温室になるように配置構成されているため、この一つの連通管内のポリマーが流れる内管は保温室としての外管により保温槽の温度から隔離され保温されているので、両連通管の間の温度差ないしそれによる対流がより小であって保温槽内の温度を調整しやすい。
【００２３】
また、前記構成による溶融紡糸装置は、前記と同じ原因で、両連通管内のポリマーそれぞれの温度を元の供給温度に保温しやすいため、特に融点差が大きい２種のポリマーからなる複合繊維を造るのに適用できる。
【図面の簡単な説明】
【００２４】
【図１】本考案の好適な実施例の溶融紡糸装置の構成図である。
【図２】保温槽内における、二重管になっている連通管の構成図である。
【図３】従来の溶融紡糸装置の構成図である。
【符号の説明】
【００２５】
３                  保温槽
３２、３３          熱媒加熱システム
３２１、３３３      加熱器
３２２、３３１      導入管
３３２、３２３      回流管
４                  紡糸口金
４３                吐出口
５、６              進料ユニット
５１、６１          押出機
５２、６２          進料ポンプ
５３、６３          配管
５４、６４          ろ過器
５５、６５          連通管
６５１              外管
６５２              内管
【図１】
0003120505.tif 000003
【図２】
0003120505.tif 000004
【図３】
0003120505.tif 000005